(57)【要約】【課題】無表示部を構成する導光板開口部への光漏れを確実に防いで背面物の視認性を高めることができる液晶表示装置を提供すること。【解決手段】少なくとも導光板５と該導光板５端面の光導入部に対向配置された光源を備えるバックライト装置と、該バックライト装置の前記導光板５の発光面側に配置された液晶表示器３とを備え、前記導光板５に形成された開口部５ａの周縁に遮光部材１１を被着して構成された液晶表示装置において、前記遮光部材１１を樹脂部材１２と遮光性の高い弾性部材１３とで一体的に構成する。ここで、前記樹脂部材１２をポリカーボネイト（ＰＣ）で構成し、前記弾性部材１３をエラストマーで構成する。又、前記弾性部材１３を前記樹脂部材１２と前記導光板５の開口部５ａ内周面との間に介設する。更に、前記遮光部材１１を前記樹脂部材１２と前記弾性部材１３との二重成形によって得る。【選択図】図３
2010026022.tif 000002
【特許請求の範囲】
【請求項１】
少なくとも導光板と該導光板端面の光導入部に対向配置された光源を備えるバックライト装置と、該バックライト装置の前記導光板の発光面側に配置された液晶表示器とを備え、前記導光板に形成された開口部の周縁に遮光部材を被着して構成された液晶表示装置において、
前記遮光部材を樹脂部材と遮光性の高い弾性部材とで一体的に構成したことを特徴とする液晶表示装置。
【請求項２】
前記樹脂部材をポリカーボネイト（ＰＣ）で構成し、前記弾性部材をエラストマーで構成したことを特徴とする請求項１記載の液晶表示装置。
【請求項３】
前記弾性部材を前記樹脂部材と前記導光板の開口部内周面との間に介設したことを特徴とする請求項１又は２記載の液晶表示装置。
【請求項４】
前記遮光部材を前記樹脂部材と前記弾性部材との二重成形によって得ることを特徴とする請求項１〜３の何れかに記載の液晶表示装置。
【請求項５】
前記弾性部材の端縁を前記バックライト装置の発光面よりも前記液晶表示器側に突出させたことを特徴とする請求項１〜４の何れかに記載の液晶表示装置。
【請求項６】
前記弾性部材の端縁の断面形状をＹ字状としたことを特徴とする請求項５記載の液晶表示装置。
【請求項７】
前記遮光部材を前記弾性部材と前記導光板の開口部内周面との凹凸嵌合によって導光板の開口部周縁に被着することを特徴とする請求項１〜６の何れかに記載の液晶表示装置。
【発明の詳細な説明】
【技術分野】
【０００１】
本発明は、バックライト装置の導光板の一部に開口部を形成し、その開口部の部分を無表示部とした液晶表示装置に係り、更に詳細には導光板の開口部周縁の遮光構造に関するものである。
【背景技術】
【０００２】
液晶表示装置（ＬＣＤ：Liquid Crystal Display）は、携帯電話やパソコン等の画像表示装置として広く使用されており、少なくとも導光板と該導光板端面の光導入部に対向配置された光源を備えるバックライト装置と、該バックライト装置の前記導光板の発光面側に配置された液晶表示器を含んで構成されている。
【０００３】
ところで、遊技機であるスロットマシンにおいては、液晶表示装置の背面側に回胴リールが配置されており、その回胴リールの周囲を液晶表示装置によって画像表示するとともに、液晶表示装置を介して回胴リールの動きや図柄を視認することができるよう構成されている。具体的には、バックライト装置の導光板の一部に開口部を形成して無表示部とし、この開口部に回胴リールを臨ませている。
【０００４】
上述のように一部に無表示部を備えたスロットマシン等の液晶表示装置においては、導光板の開口部周縁から光が漏れると、開口部に臨む回胴リール等の背面物の視認性が悪くなるという問題がある。
【０００５】
そこで、特許文献１には、導光板の背面部分に、光の通過を遮断するスリット溝を開口部を囲むように形成し、このスリット溝に遮光部材を嵌挿する構成が提案されている。
【０００６】
又、従来、図７及び図８に示すような遮光構造が採用されている。
【０００７】
即ち、図７は液晶表示装置の無表示部周縁の遮光構造を示す部分断面図、図８は図７のＥ部拡大詳細図であり、図示のように導光板１０５には開口部１０５ａが形成されており、その開口部１０５ａの周縁には遮光部材１１１が被着されている。尚、導光板１０５の発光面側（上面側）にはプリズムシート等の複数のシートを多層に積層して成る拡散部１０９が配設され、その上方に液晶表示器１０３が配設されている。又、導光板１０５の反発光面（下面）には反射シート１１０が配設されている。
【特許文献１】特開２００５−１８５８２６号公報
【発明の開示】
【発明が解決しようとする課題】
【０００８】
ところで、特許文献１と図７及び図８に示した遮光部材１１１は、アルミニウム等の金属粉や金属薄膜等が混入されたポリカーボネイト（ＰＣ）等の樹脂によって構成されており、その色は見栄え等の商品性を高める観点から黒色以外の有色又は無色とされている。このため、遮光部材１１１は完全な遮光を行うことができず、導光板１０５からの光が遮光部材１１１を通過して開口部１０５ａ側へ漏れる。この漏れた光は、開口部（無表示部）１０５ａに臨む回胴リール等の背面物の補助照明として利用されてはいるものの、背面物の視認性を低下させる要因となっている。
【０００９】
又、従来の遮光構造においては、図８に示す詳細に示すように、液晶表示器１０３と遮光部材１１１の上端周縁との間にギャップδが存在するため、反射光及び透過光が液晶表示器１０３のブラックマスク１０６の周縁に発生して光漏れを起こし、このことも背面物の視認性を低下させる一因となっている。
【００１０】
本発明は上記問題に鑑みてなされたもので、その目的とする処は、無表示部を構成する導光板開口部への光漏れを確実に防いで背面物の視認性を高めることができる液晶表示装置を提供することにある。
【課題を解決するための手段】
【００１１】
上記目的を達成するため、請求項１記載の発明は、少なくとも導光板と該導光板端面の光導入部に対向配置された光源を備えるバックライト装置と、該バックライト装置の前記導光板の発光面側に配置された液晶表示器とを備え、前記導光板に形成された開口部の周縁に遮光部材を被着して構成された液晶表示装置において、前記遮光部材を樹脂部材と遮光性の高い弾性部材とで一体的に構成したことを特徴とする。
【００１２】
請求項２記載の発明は、請求項１記載の発明において、前記樹脂部材をポリカーボネイト（ＰＣ）で構成し、前記弾性部材をエラストマーで構成したことを特徴とする。
【００１３】
請求項３記載の発明は、請求項１又は２記載の発明において、前記弾性部材を前記樹脂部材と前記導光板の開口部内周面との間に介設したことを特徴とする。
【００１４】
請求項４記載の発明は、請求項１〜３の何れかに記載の発明において、前記遮光部材を前記樹脂部材と前記弾性部材との二重成形によって得ることを特徴とする。
【００１５】
請求項５記載の発明は、請求項１〜４の何れかに記載の発明において、前記弾性部材の端縁を前記バックライト装置の発光面よりも前記液晶表示器側に突出させたことを特徴とする。
【００１６】
請求項６記載の発明は、請求項５記載の発明において、前記弾性部材の端縁の断面形状をＹ字状としたことを特徴とする。
【００１７】
請求項７記載の発明は、請求項１〜６の何れかに記載の発明において、前記遮光部材を前記弾性部材と前記導光板の開口部内周面との凹凸嵌合によって導光板の開口部周縁に被着することを特徴とする。
【発明の効果】
【００１８】
請求項１及び２記載の発明によれば、バックライト装置の導光板に形成された開口部の周縁に被着された遮光部材を樹脂部材と遮光性の高い弾性部材とで２層構造として一体的に構成したため、導光板からの光は遮光性の高い弾性部材によって完全に遮光され、導光板の開口部への光の漏れが確実に防がれて無表示部を構成する開口部に露出する背景物の視認性が高められる。
【００１９】
請求項３記載の発明によれば、弾性部材を樹脂部材と導光板の開口部内周面との間に介設したため、導光板からの光は先ず遮光性の高い弾性部材によって確実に遮光されるとともに、導光板の発熱に伴う熱膨張が弾性部材の弾性変形によって吸収され、熱膨張に伴う応力が導光板に作用することがなく、導光板の耐久性が高められる。
【００２０】
請求項４記載の発明によれば、遮光部材を樹脂部材と弾性部材との二重成形によって容易に製作することができ、その製造コストの削減を図ることができる。
【００２１】
請求項５記載の発明によれば、弾性部材の端縁をバックライト装置の発光面よりも液晶表示器側に突出させたため、液晶表示器をバックライト装置の発光面側から被せてこれを組み付けると、弾性部材の端縁が液晶表示器によって押圧されて弾性変形する。このため、弾性部材の端縁が液晶表示器に密着し、遮光部材と液晶表示器との間にギャップが生じず、ギャップから反射光及び透過光が漏れて液晶表示器のブラックマスクの周縁を発光させることがなく、これによって背面物の視認性が更に高められる。
【００２２】
請求項６記載の発明によれば、弾性部材の端縁の断面形状をＹ字状（二股状）としたため、この断面Ｙ字状の端縁が容易に弾性変形してシールリップとして液晶表示器に密着する。このため、遮光部材と液晶表示器との間におけるギャップの発生が一層確実に防がれ、ギャップからの反射光及び透過光の漏れが確実に防がれる。
【００２３】
請求項７記載の発明によれば、遮光部材を弾性部材と導光板の開口部内周面との凹凸嵌合によって導光板の開口部周縁に被着するようにしたため、該遮光部材の取り付け及び取り外しに際しては弾性部材が容易に弾性変形し、従って、遮光部材を導光板に対して容易に着脱することができる。
【発明を実施するための最良の形態】
【００２４】
以下に本発明の実施の形態を添付図面に基づいて説明する。
【００２５】
図１は本発明に係る液晶表示装置の平面図、図２は図１のＡ−Ａ線拡大断面図、図３は図２のＢ部拡大詳細図、図４は図３のＣ部拡大詳細図、図５は遮光部材の平面図、図６は図５のＤ−Ｄ線拡大断面図である。
【００２６】
図１及び図２に示す液晶表示装置１は、遊技機としてのスロットマシンの画像表示装置として使用されるものであって、矩形枠状のフレーム２に組み込まれた液晶表示器３と、該液晶表示器３を背面から照明するバックライト装置４を含んで構成されている。
この液晶表示装置１は、図１に示すように、横方向に長い矩形状の無表示部１Ａとその周囲の表示部（発光部）１Ｂとに区画されており、無表示部１Ａに対応するバックライト装置４の導光板５には同形状の開口部５ａが形成されている。又、液晶表示器３の無表示部１Ａに対応する部位（導光板５の開口部５ａに面する部位）は透明窓３ａを構成しており、この透明窓３ａの周縁は、図１、図３及び図４に示すように、ブラックマスク６によって縁取られている。この無表示部１Ａは画像表示及び発光がなされない部分であって、導光板５に形成された開口部５ａの背面側（図２の下面側）には、互いに独立に回転し得るドラム状の３つの回胴リール（不図示）が横方向に並設されており、これらの回胴リールは導光板５の開口部５ａに露出し、遊技者は、液晶表示器３の透明窓３ａを介して回胴リールの動きとそれに表示された図柄を外部から視認することができる。
【００２７】
他方、液晶表示装置１の表示部１Ｂは、バックライト装置４によって背面照明がなされるとともに、液晶表示器３によって画像が表示される部分であり、図１に示すように、液晶表示器３の周縁はブラックマスク７によって縁取られている。
【００２８】
ところで、バックライト装置４は、横方向に光を出射するサイドビュータイプのものであって、図２に示すように、アクリル樹脂等の透明樹脂で構成された矩形平板状の前記導光板５と、この導光板５の上下端面の光導入部に近接して配置された上下のＣＣＦＬ（冷陰極蛍光ランプ）光源８を備えている。そして、図３に示すように、導光板５の発光面側（上面側）にはプリズムシート等の複数のシートを多層に積層して成る拡散部９が配設され、その上方に前記液晶表示器３が配設されている。又、導光板５の反発光面（下面）には反射シート１０が配設されている。
【００２９】
而して、図３に示すように、導光板５に形成された開口部５ａの周縁には遮光部材１１が被着されている。この遮光部材１１は、図５に示すように、ポリカーボネイト（ＰＣ）によって矩形枠状に成形された樹脂部材１２と、該樹脂部材１２に一体に立設された矩形筒部１２ａの外周面に一体に形成されたエラストマー製の弾性部材１３とで２層構造として一体に構成されている。尚、本実施の形態では、遮光部材１１は、樹脂部材１２と弾性部材１３との二重成形によって製作されている。又、樹脂部材１２の色には、見栄え等の商品性を高める観点から黒色以外の有色又は無色が使用され、弾性部材１３の色としては、該弾性部材１３の遮光性を高めるために黒色が使用されている。
【００３０】
ところで、図６に示すように、遮光部材１１の弾性部材１３の外周には水平な凸部１３ａが全周に亘って一体に形成されており、図４に示すように、導光板５の開口部５ａの周縁には段状の凹部５ｂが全周に亘って形成されている。
【００３１】
又、図６に示すように、弾性部材１３の上端縁は樹脂部材１２の上端縁よりも上方に突出しており、図３に示すように遮光部材１１を導光板５の開口部５ａの周縁に被着した状態において、弾性部材１２の上端縁は、バックライト装置４の発光面よりも上方（液晶表示器３側）に突出している。そして、弾性部材１３の上端縁は、図６に示すように、断面がＹ字状を成すよう二股状に成形されている。
【００３２】
以上のように構成された遮光部材１１に対して導光板５を上方から嵌め込めば、該導光板５の開口部５ａの周縁に形成された前記凹部５ｂに遮光部材１１の弾性部材１３の外周に突設された凸部１３ａが嵌合し、これによって遮光部材１１が導光板５の開口部５ａの周縁に被着される。このとき、弾性部材１３は容易に弾性変形することができるため、遮光部材１１を導光板５の開口部５ａの周縁に容易に被着することができ、又、導光板５の開口部５ａの周縁に既に被着された遮光部材１１を容易に取り外すことができ、その着脱性が高められる。
【００３３】
上述の要領で遮光部材１１が導光板５の開口部５ａの周縁に被着された状態では、図３に示すように、弾性部材１３は樹脂部材１１と導光板５の開口部５ａの内周面との間に介在することとなり、その上端縁は、前述のように樹脂部材１２の上端縁及びバックライト装置４の発光面よりも上方に突出している。
【００３４】
上記状態から液晶表示器３をバックライト装置４の上面側から被せてこれを下方に押圧した状態で両者の外周縁を前記フレーム２によって固定して組付一体化することによって図１に示す液晶表示装置１が構成されるが、弾性部材１３の上端縁を樹脂部材１２の上端縁及びバックライト装置４の発光面よりも上方へ突出させたため、弾性部材１２の上端縁が液晶表示器３によって押圧されて図４に詳細に示すように弾性変形する。このため、弾性部材１３の上端縁が液晶表示器３の下面に密着し、遮光部材１１と液晶表示器３との間にギャップが生じない。この結果、ギャップから反射光及び透過光が漏れて液晶表示器３のブラックマスク６の周縁が発光することがなく、これによって不図示の背面物の視認性が更に高められる。特に、本実施の形態では、弾性部材１３の上端縁の断面形状をＹ字状（二股状）としたため、この断面Ｙ字状の端縁が容易に弾性変形してシールリップとして液晶表示器３の下面に密着する（図４参照）。このため、遮光部材１１と液晶表示器３との間におけるギャップの発生が一層確実に防がれ、ギャップからの反射光及び透過光の漏れが確実に防がれる。
【００３５】
而して、本発明に係る液晶表示装置１においては、バックライト装置４の導光板５の長辺側の上下に沿って配されたＣＣＦＬ光源８から上下に向かって出射された光束は、導光板５の長辺側の上下端面の光導入部から該導光板５の内部に導入され、反射シート１０により反射して導光板５の光照射面（上面）側から上方に向かって出射され、拡散部９を通過して拡散されることによって均一な照明光となり、液晶表示器３をその背面から照明する。
【００３６】
以上において、本実施の形態では、バックライト装置４の導光板５に形成された開口部５ａの周縁に被着された遮光部材１１を樹脂部材１２と遮光性の高い弾性部材１３とで２層構造として一体的に構成したため、導光板５からの光は遮光性の高い弾性部材１３によって完全に遮光され、導光板５の開口部５ａへの光の漏れが確実に防がれて無表示部１Ａを構成する開口部５ａに露出する背景物の視認性が高められる。そして、前述のように弾性部材１３の上端縁が液晶表示器３の下面に密着するため、遮光部材１１と液晶表示器３との間にギャップが生じず、ギャップから反射光及び透過光が漏れて液晶表示器３のブラックマスク６の周縁を発光させることがなく、これによって背面物の視認性が更に高められるという効果も得られる。尚、遮光部材１１の樹脂部材１２の矩形筒部１２ａの内周面を鏡面加工した場合、この内周面で回胴リールの像が反射して映るため、その面にシボ加工等の粗面加工を施しておくことが望ましい。
【００３７】
又、本実施の形態では、遮光部材１１の弾性部材１３を樹脂部材１２と導光板５の開口部５ａの内周面との間に介設したため、導光板５からの光は先ず遮光性の高い弾性部材１３によって確実に遮光されるとともに、導光板５の発熱に伴う熱膨張が弾性部材１３の弾性変形によって吸収され、熱膨張に伴う応力が導光板５に作用することがなく、導光板５の耐久性が高められる。
【００３８】
更に、本実施の形態では、遮光部材１１を樹脂部材１２と弾性部材１３との二重成形によって容易に製作することができ、その製造コストの削減を図ることができる。
【００３９】
尚、以上は本発明を特に遊技機であるスロットマシンの画像表示装置として使用される液晶表示装置に対して適用した形態について説明したが、本発明は、無表示部にアナログメータを露出させた車両用メータ等、他の任意の液晶表示装置に対しても同様に適用して前記と同様の効果を得ることができることは勿論である。又、以上の実施の形態では、遮光部材の樹脂部材の材質としてポリカーボネイト（ＰＣ）を用い、弾性部材の材質としてエラストマーを用いたが、これらの材質は一例であって限定される訳ではなく、本発明の目的を達成し得るものであれば他の任意の材質を選定することができる。
【図面の簡単な説明】
【００４０】
【図１】本発明に係る液晶表示装置の平面図である。
【図２】図１のＡ−Ａ線拡大断面図である。
【図３】図２のＢ部拡大詳細図である。
【図４】図３のＣ部拡大詳細図である。
【図５】本発明に係る液晶表示装置の遮光部材の平面図である。
【図６】図５のＤ−Ｄ線拡大断面図である。
【図７】液晶表示装置の従来の遮光構造を示す部分断面図である。
【図８】図７のＥ部拡大詳細図である。
【符号の説明】
【００４１】
１        液晶表示装置
１Ａ      液晶表示装置の無表示部
１Ｂ      液晶表示装置の表示部（発光部）
２        フレーム
３        液晶表示器
３ａ      液晶表示器の透明窓
４        バックライト装置
５        導光板
５ａ      導光板の開口部
５ｂ      導光板の凹部
６，７    ブラックマスク
８        ＣＣＦＬ光源
９        拡散部
１０      反射シート
１１      遮光部材
１２      樹脂部材
１２ａ    樹脂部材の矩形筒部
１３      弾性部材
１３ａ    弾性部材の凸部
【図１】
2010026022.tif 000003
【図２】
2010026022.tif 000004
【図３】
2010026022.tif 000005
【図４】
2010026022.tif 000006
【図５】
2010026022.tif 000007
【図６】
2010026022.tif 000008
【図７】
2010026022.tif 000009
【図８】
2010026022.tif 000010